(57)【要約】【課題】光ファイバ接続作業の場合、ケース本体の側板に煩わされることなく、ケースの外部の自由な作業場所で接続することができる。【解決手段】収納空間を有するケース本体と、収納空間に収納される光受信部と、余長の光ファイバを収容する光ファイバ収容部と、ケース本体の側板を貫通した状態で外部から光ファイバ収容部に向けて光ファイバを導入できるようにしてある導入路とを備え、さらに導入路の内側に導入路に挿通された光ケーブルの受止部を備え、受止部とは光ケーブルを挟んで反対側の位置に、光ケーブルに圧接して光ケーブルを不動状態にする為の押圧部材を備え、導入路の周面と、ケース本体の側板の開口縁との間には、光ケーブルを横臥状態で導入路に差込み可能にスリットを形成した。【選択図】  図５
2007086737.tif 000002
【特許請求の範囲】
【請求項１】
収納空間を有するケース本体と、
上記収納空間５に収納され、外部から入力される光信号を電気信号に変換して出力する光受信部と、
上記収納された光受信部の表側に収納され、余長の光ファイバを所定の曲率で巻付ける為に表側を開放状態にした巻枠を有する光ファイバ収容部と、
ケース本体の側板を貫通した状態で、ケース本体外部から上記光ファイバ収容部に向けて光ファイバを導入できるようにしてある導入路とを備え、
さらに上記導入路の内側に、導入路に挿通された光ケーブルを受止める為の受止部を備え、
上記受止部とは光ケーブルを挟んで反対側の位置に、光ケーブルに圧接して光ケーブルを不動状態にする為の押圧部材を備えている光受信機において、
上記導入路の周面と、ケース本体の側板の開口縁との間には、上記光ケーブルを横臥状態で導入路に差込み可能にスリットを形成したことを特徴とする光受信機。
【請求項２】
上記押圧部材は、上記スリットの側方位置においてケース本体の一部に対して回動自在に枢着されており、回動範囲は、開放状態では上記スリット位置から遠ざかった退避位置にあり、押圧位置においては上記光ケーブルに圧接して光ケーブルを不動状態にする押圧位置に至るようにしてあることを特徴とする請求項１記載の光受信機。
【請求項３】
押圧部材には、押圧位置において、上記スリットを塞ぐような大きさの補完部材を一体動自在に付設してあることを特徴とした請求項１又は請求項２記載の光受信機。
【発明の詳細な説明】
【技術分野】
【０００１】
本発明は、ケース本体の収納空間に、Ｏ／Ｅ変換手段を備える光受信部を納め、さらにその表側に光ファイバ収容部を備えさせ、さらに、外部からケース本体の側板を貫通した状態で光ファイバ収容部に対して光ケーブルを導入できるようにしてある導入路とを備える光受信機に関する。
【背景技術】
【０００２】
従来の光受信機について図１、図２を用いて説明する。図１、図２は本願発明の実施例を説明する為のものであるが、これらの図において符号１〜２９及び符号３９〜６０を付した構成は、従来から知られた構成である（例えば特開２００５−２４７６０公報参照）。よって図１、図２を用いて従来例を説明する。
３は光受信機１におけるケース本体を示し、５はケース本体３における収納空間を示す。１３は、外部から入力される光信号を電気信号に変換（Ｏ／Ｅ変換）して出力する光受信部を示し、図示のように収納空間５に収納されている。２４は余長の光ファイバ４４、４５、４６、４７を収容する為の光ファイバ収容部を示す。光ファイバ収容部２４には、余長の光ファイバ４４、４５、４６、４７を所定の曲率で巻付ける為に、表側が開放状態の巻枠２６、２７、周壁５８等が備えられている。６０はケース本体外部から上記光ファイバ収容部２４に向けて光ファイバを導入する導入路を示し、ケース本体の側板３ａを貫通して構成されている。３９は、導入路６０に導入された光ケーブル４１、４２を不動状態に保持する為に導入路６０のケース内側に配設されている挟着具を示す。挟着具３９は導入された光ケーブルを受止める為の下側の挟着部材と、その上から光ケーブルを圧接する上側の挟着部材とを備える。
この従来の光受信機は、光ファイバ４４等を光ファイバ収容部に導入した後は、上記上下の挟着部材からなる挟着具３９で光ケーブル４１、４２を挟着してビス40、40で締め付けすることにより、導入路６０に位置する光ケーブル４１、４２を保持するようにしてある。（例えば、特許文献１参照）。
【０００３】
【特許文献１】特開２００５−２４７６０号公報
【発明の開示】
【発明が解決しようとする課題】
【０００４】
光受信機を設置する作業においては、外部から引込んだ光ケーブルと、ケース内に収納された光受信部に接続される光ファイバとを接続しなければならない。
しかし、上記外部と内部の光ファイバの接続を先にすると、ケース本体の蓋ができなくなる。
そこで、従来の光受信機の光ファイバ接続作業においては、外部からの光ケーブルを、ケース本体の側板を貫通させた導入路に挿通してケース内に納めた後、光受信部に接続される光ファイバと接続するようにしていた。
そうした方法により接続する場合、上記ケース内に納められた光ケーブルの先端を、ケース外の接続作業の場所まで引出さねばならず、接続作業の場所が制約される問題点があった。
【０００５】
本件出願の目的は、光ファイバ接続作業の場合、ケース本体の側板に煩わされることなく、ケースの外部の自由な作業場所で接続することができる光受信機を提供しようとするものである。
しかも、ケース外の自由な場所で光ファイバ相互を接続できるものであっても、接続後は極めて簡単な手段でケース本体の側板を貫通した状態でケース内に収容することができる光受信機を提供しようとするものである。
他の目的は、光ファイバ収容作業の際、光ファイバ収容部に向けて外部から光ファイバを収容した後は、押圧部材を回動させるだけの簡単な操作で、導入路における光ケーブルを固定することができる光受信機を提供しようとするものである。
他の目的は、導入路における押圧部材に補完部材を備える場合にあっては、光ファイバを収容し、光ケーブル固定完了後は、ケース本体の側板におけるスリットからケース本体内に塵埃が侵入することを防止できる光受信機を提供しようとするものである。
他の目的及び利点は図面及びそれに関連した以下の説明により容易に明らかになるであろう。
【課題を解決するための手段】
【０００６】
本願発明における光受信機は、収納空間５を有するケース本体３と、上記収納空間５に収納され、外部から入力される光信号を電気信号に変換して出力する光受信部１３と、上記収納された光受信部１３の表側に収納され、余長の光ファイバを44等所定の曲率で巻付ける為に表側を開放状態にした巻枠を有する光ファイバ収容部２４と、ケース本体の側板３ａを貫通した状態で、ケース本体外部から上記光ファイバ収容部２４に向けて光ファイバ44等を導入できるようにしてある導入路６０とを備え、さらに上記導入路６０の内側に、導入路６０に挿通された光ケーブル41等を受止める為の受止部を備え、上記受止部とは光ケーブル４１等を挟んで反対側の位置に、光ケーブル４１等に圧接して光ケーブル４１等を不動状態にする為の押圧部材を備えている光受信機１において、上記導入路６０の周面と、ケース本体の側板３ａの開口縁３ｆとの間には、上記光ケーブル４１等を横臥状態で導入路６０に差込み可能にスリット110を形成したものである。
【０００７】
また好ましくは、上記押圧部材６３は、上記スリット110の側方位置においてケース本体の一部に対して回動自在に枢着されており、回動範囲は、開放状態では上記スリット位置から遠ざかった退避位置にあり、押圧位置においては上記光ケーブル４１等に圧接して光ケーブル４１を不動状態にする押圧位置に至るようにしたものであればよい。
【０００８】
また好ましくは、押圧部材には、押圧位置において、上記スリットを塞ぐような大きさの補完部材を一体動自在に付設したものであればよい。
【発明の効果】
【０００９】
以上のように本願発明は、ケース本体の側板の開口縁と導入路の周面との間に形成されたスリットに光ケーブルを横臥状態で差込むだけで、余長の光ファイバをケース本体の側板を貫通した状態でケース内に収容することができるので、光ファイバを接続する作業の場合、ケース本体の側板の存在に煩わされることなく、ケースの外部の広々とした自由な場所で作業性良く接続することができる作業上の効果がある。
しかも、ケース外の自由な場所で光ファイバ相互を接続できるものであっても、光ファイバ接続後は、ケース本体の側板の開口縁から導入路の周面に向けて形成されたスリットに光ケーブルを横臥状態で差込むだけという極めて簡単な手段で、光ファイバをケース本体の側板を貫通した状態でケース内に収容することができる作業上の効果がある。
【００１０】
さらに本願発明にあっては、導入路における押圧部材が、スリットの側方位置においてケース本体の一部に対して回動自在に枢着されている場合にあっては、
光ファイバ収容作業の際、光ファイバを光ファイバ収容部に導入するときには、導入路における押圧部材を回動させるだけで、スリットから離れた退避位置にすることができるので、光ケーブルのケース内への導入は、押圧部材に邪魔されることなく、スムーズにスリットを通して導入路に差し込むことができる。
さらに、光ファイバ収容部に光ファイバを収容した後は、退避位置にある押圧部材を押圧位置まで回動させるだけの簡単な操作で、導入路における光ケーブルを固定する位置にすることができる作業上の効果がある。
【００１１】
さらに本願発明にあっては、導入路における押圧部材に補完部材を備える場合にあっては、光ファイバを収容し、光ケーブル固定完了後は、押圧部材の補完部材がケース本体側板のスリットを塞いで側板を補完するので、ケース内に塵埃が侵入することを防止できる使用上の効果がある。
【発明を実施するための最良の形態】
【００１２】
以下本願発明の実施の形態を図１乃至図１１を用いて説明する。図１乃至図１１において、図１及び図２は、ケースにおけるケース本体３と、ケースの中に収納される光受信部13及び光ファイバ収容部24と導入路６０の位置関係を示す正面図及び分解斜視図である。これら図１及び図２における導入路60の構成は、従来から知られた構成に係わる導入路を表示するものである。以下順次図面を用いて実施例を説明する。
【００１３】
３は、周知のようにオフィスビルやマンションなどの出入り口近くに設置する光受信機１におけるケース本体を示し、通常は図に示されない任意の蓋体を開閉自在に備える。４ａは蓋体の止具を示す。ケース本体３は、天板（側板ともいう）３ｃと、天板３ｃに平行する状態で配置される結線盤（側板ともいう）３ａと、天板３ｃと結線盤３ａとの間に夫々配置される二つの側板３ｂとを角形に配置すると共に、上記天板３ｃ、結線盤３ａ及び二つの側板３ｂで囲まれる角形の空間５の一面を塞ぐように備えさせた裏側板３ｄとで構成されている。ケース本体３における四周の側板３ａ、３ｂ、３ｂ、３ｃ及び裏側板３ｄはプラスチック材で一体に又は各別材を組み合わせて形成してある。
ケース本体３の表側面には、ケース外部からケース内の光受信部１３や光ファイバ４４等を操作する為の比較的大きな開口部３ｅを備え、さらにケース本体３の開口部３ｅに対しては開閉自在にケース本体に枢着された上記蓋体（図示省略）を被せ付けてケースを構成している。
５は、ケース本体３における収納空間を示し、Ｏ／Ｅ変換手段を備える光受信部１３を収納するようにしてある。
３ｇは側板３ａの一部を構成する側板部材を示す。側板部材３ｇは、図２、図３等に現れているように基板２５と一体に取扱う為に側板３ａとは別離可能に構成してあり、ケース本体３に基板２５を装着した状態では僅かに切れ目103が見える程度に一体化可能に構成してある（図１、図５参照）
８、９は側板３ａに備えられた公知のテレビ信号を取り出す為の出力端子突出口を示す。106は側板３ａに一体的に設けられた筒状の突出口を示し、必要に応じて周知の防水キャップを装着できるように構成してある。106ａは出入口６を二分して光ケーブル４１、４２を区分する為の隔壁で、突出口106と一体に成型されている。
110は、側板３ａの開口縁３ｆと、後述する導入路の周面との間に形成されたスリットを示し、光ケーブルを横臥状態で開口縁から導入路に差込み可能にしてある。スリット110は図４，図５に示されるように突出口106の周面にも連続して形成してある。
なお、側板部材３ｇと突出口106は、基板２５と一体材で構成した例について図示して説明したが、側板部材３ｇと突出口106とをケース本体の側板３ａと一体材で構成してもよい。さらに、ケースにおける蓋体と一体材で形成し、蓋体を被せ付けた状態で側板３ａと一体的になるようにして構成してもよい。
【００１４】
図１、２に示される光受信部１３は、通常知られているように外部はシールド効果を有する金属製のケース（シャーシ）１４で構成されており、内部には、光信号をテレビ受像機用の入力信号に変換する為の手段、通常、Ｏ／Ｅ変換手段として知られている電子回路が収められている。また必要に応じては周知のように増幅回路が収まっている。光受信部１３のケース１４は任意の着脱自在に構成されたケース本体３側の取付具、例えば鈎片１０で着脱自在に保持される。ケース（シャーシ）１４の表面には、基板２５の表面よりも高くなるように高さを設定した光アダプタ２０が着脱自在に固着されている。この光アダプタ２０には、ケース１４内のＯ／Ｅ変換手段に連なる光ファイバ１７の先端に付されている光コネクタ２１ａが抜差自在に接続されている。光コネクタ２１ａはケース１４に設けた孔を通してケース１４の内に収納できるようにしても良いし、ケース１４の蓋が開閉できるように光ファイバ１７のリード線を長くしてあっても良い。１６、１６ａは周知のテレビ信号用出力端子及びテレビ信号用出力レベル測定端子の存在を示す。
【００１５】
２５は、ケース本体３に収納された光受信部１３とその表側に備えられる光ファイバ収容部２４とを区画する為の基板を示し、プラスチックまたは金属などの硬質平板材で形成してある。２５ａは基板２５から延長させたカバーを示し、リード線１７を保護する為のものである。２５ｂは基板２５の上に設けたコネクタ仮止め具の存在を示すものである。
【００１６】
次に、２４は基板２５の表面に備えられる余長の光ファイバ収容部を示す。光ファイバ収容部２４においては、図示のように光ファイバ４４、４５、４６、４７の添え付けを可能とする安全曲率の範囲内で小さい曲率に形成されている周壁２６ａ、２７ａを有する第１巻枠２６と、第２巻枠２７とを並置させてある。安全曲率としては光ファイバのメーカーによって種々な説があるが、一般的には半径が２０ミリメートル〜３０ミリメートルあれば安全な曲率といわれている。
第１巻枠２６と、第２巻枠２７とは、基板２５が合成樹脂で成型される場合には一体材で成型される。これらの巻枠の周壁26ａ、27ａには、光ファイバの滑りを止める為に、必要に応じて上下方向に長いスリットが周方向に多数配設してあってもよい。更に巻枠の平面形状は真円であっても良いし、安全曲率以上の曲率を備える楕円形であっても良い。
また、巻枠の周壁26ａ、27ａは、基板２５とは別体で形成し、基板２５の所定位置に任意の接合手段、例えば基板２５に多数の孔を穿ち、巻枠の側から延びる多数の爪を嵌合させる手段を用いて、或いは接着剤などを用いて密着状態に装着してもよい。
２８は周壁26ａ、27ａに添わせる光ファイバ４４、４５、４６、４７が跳ね上がるのを阻止するために予め周壁26ａ、27ａの上部位置に均等に割り付けて配置された複数の跳止爪を示す。この跳止爪２８は周壁26ａ、27ａの上部位置から放射方向に向けて一体材で張り出し状に備えさせてある。上記張り出し状の跳止爪における下方の基板２５には、必要に応じて、周知のように成形時に必要な型（中子）を抜き出す為に透孔を設けておくとよい。
【００１７】
上記基板２５の表面に対し、前述のごとく並置されている第１巻枠２６と、第２巻枠２７について説明する。これらの並置の状態は、第１巻枠２６と第２巻枠２７の夫々の中心点位置26ｆ、27ｆを中心にして、上記安全曲率が得られる半径で描かれる円弧（周壁26ａ、27ａの外周面とほぼ一致する）の一部が半径方向において相互に重合267するように、第１巻枠２６と、第２巻枠２７の中心点位置26ｆ、27ｆを相互に近づけてある。このように配置すると当然のことながら図１から明らかなように第１巻枠２６と第２巻枠２７の左右全体の幅寸法は狭くなり、専有面積は小さくなる。
【００１８】
基板２５の表面に対しては、上記第１巻枠２６と第２巻枠２７の夫々の小さい曲率を有する周壁26ａ、27ａの外周から遠く離れた位置に、第１巻枠２６と第２巻枠２７を取り囲むように、相互に適当な間隔を隔てて複数個所において光ファイバの外周位置規制用の跳止壁29ｂを夫々自立状に並設してある。外周位置規制用の跳止壁29ｂが並設してある位置は、第１巻枠２６と第２巻枠２７の周壁26ａ、27ａから大きな間隙を隔てて光ファイバを大きな曲率で配置することを許容するように選定してある。上記跳止壁29ｂの上部には夫々対応する第１巻枠２６と、第２巻枠２７に向けて延出させた爪29ａを備えさせ、光ファイバが上方に向けて跳ね上がらないように形成してある。
【００１９】
これらの複数の爪29ａと、上記複数の跳止爪２８との配列は、図１に示してあるように平面形状において、跳止爪２８の先端と、複数の爪29ａの先端が相互に入り組んだ状態に配置されている。このことは光ファイバ４４、４５、４６、４７が第１巻枠２６と第２巻枠２７の夫々の周壁26ａ、27ａから近い位置にて巻かれた場合は、複数の跳止爪２８によってその浮き上がりは防止され、光ファイバが曲率半径大きく、夫々の周壁26ａ、27ａから離れた遠い位置に巻かれた場合は、複数の爪29ａによってその浮き上がりは防止され、図１のように光ファイバが直線状態或いはやや湾曲した状態では、上方に向けて飛び出すことができないように交互に入れ込み状態で配列してある。
【００２０】
なお、符号５８は、光ファイバを大きな曲率で配置させた場合に、外部に向けて逃げ出すのを防ぐための周壁で、内面は上記安全曲率の範囲内でカーブさせてある。この周壁５８は必要に応じて上記それぞれは独立して立設されている複数の外周位置規制用の跳止壁２９ｂと連続させて、一体に形成するとよい。
以上のように第１巻枠２６と第２巻枠２７との配置、構成を図１のように構成することにより、平面的な専有面積を著しく小さくすることができる。それにより、ケースの外形形状をより小型、コンパクトにすることが可能になる。
【００２１】
３４、３５は公知の第１と第２のスプライスホルダの存在を示し、光ファイバ４４と４７、４５と４６とを夫々接続するための公知の第１と第２のメカニカルスプライス３６、３７を着脱自在に保持する為のものである。配設位置としては、邪魔にならないように図１における第１巻枠２６と第２巻枠２７の中間位置の上方に選定してある。
基板２５において、基板２５の表面とほぼ同じ高さに配設してある光アダプタ２０が存在する隅部は、基板２５を欠如させ、光ファイバ４７の自由端に付着させた光コネクタ21ｂを光アダプタ２０の受口２２に着脱自在に接続できるようにしてある。
【００２２】
次に、８０は、ＷＤＭ（Wavelength Division Multiplexing：波長分割多重）フィルターを保持固着する為のＷＤＭフィルターホルダを示し、光ファイバ収容部２４に備えられている。なお、ＷＤＭフィルターは、双方向の光伝送路を考えた場合に、例えば通信としての上り信号及び下り信号に夫々１３１０ｎｍ及び１４９０ｎｍの波長の光信号を使用し、テレビ信号の下り信号用として１５５０ｎｍの光り信号を使用して伝送されている場合に、例えば本願の光受信機のような加入者端末側に設置される機器と光ファイバとの間に介設して、前記波長の光信号に分波したり合成したりするものである。
【００２３】
本願のＷＤＭフィルターホルダ８０の詳細な構造について説明する。図７に良く示されるように、本願の実施例では前記基板２５上面から第１の所定間隔を隔てて対向配置するように突設した一対の係止片１８１、１８１によって、第１のＷＤＭフィルター３８Ｂを着脱自在に挟着保持するための支持部８１ａを、前記第１の所定間隔における中心線上に所定の間隔を隔て少なくとも２組配設してなる第１の支持部８１と、前記基板２５上面から前記第１の所定間隔より広い第２の所定間隔を隔てて対向配置すると共に、前記第１の支持部８１より基板上面から離れるように高く突設した一対の係止片１８２、１８２によって、第２のＷＤＭフィルター３８Ａを着脱自在に挟着保持するための支持部８２ａを、前記第２の所定間隔における中心線上に所定の間隔を隔て少なくとも２組配設してなる第２の支持部８２とから成り、前記第１の支持部８１の中心線と前記第２の支持部８２の中心線とは同一線上に配設されることによって、前記第１のＷＤＭフィルター３８Ｂは前記第１の支持部８１に挟着保持し、前記第２のＷＤＭフィルター３８Ａは前記第２の支持部８２に挟着保持したときに、前記第１のＷＤＭフィルターと前記第２のＷＤＭフィルターは、前記基板に直交する方向に相互に重ならないように、基板２５に対して直交する方向に配設される。
【００２４】
前記第１の支持部８１における各対の係止片１８１、１８１の先端部には、夫々内方向に対向させて係止爪１８１ａ、１８１ａが形成され、前記第１の所定間隔である係止爪の先端間の間隔（Ｌ１）は、前記第１のＷＤＭフィルターの外径より僅かに小さくなるように突出させるように形成されていると共に、係止爪１８１ａ、１８１ａの下方向には前記第１のＷＤＭフィルターの外周に対応した当付面１８１ｂ、１８１ｂが夫々形成されている。
次に、前記第２の支持部８２における各対の係止片１８２、１８２の先端部においても、夫々内方向に対向させて係止爪１８２ａ、１８２ａが形成され、前記第２の所定間隔である係止爪の先端間の間隔（Ｌ２）は、前記間隔（Ｌ１）より大きく、第２のＷＤＭフィルターの外径より僅かに小さくなるように突出させるように構成されると共に、係止爪１８２ａ、１８２ａの下方向には前記第２のＷＤＭフィルターの外周に対応した当付面１８２ｂ、１８２ｂが形成されている。
尚、一般的にＷＤＭフィルターは円筒状に形成されており、一般的には直径がΦ３ｍｍ及びΦ５．５ｍｍが知られており、本願における第１の支持部８１はΦ３ｍｍに相当する第１のＷＤＭフィルター３８Ｂを挟着保持するためのもので、第２の支持部８２はΦ５．５ｍｍに相当する第２のＷＤＭフィルター３８Ａを挟着保持するためのもので、夫々の当付面１８１ｂ、１８１ｂ及び当付面１８２ｂ、１８２ｂは夫々の外周に対応するように所定のＲを有するように形成されている。
【００２５】
前記第１のＷＤＭフィルター３８Ｂの取付において、前記間隔（Ｌ１）から係止片１８１、１８１を外側方向に押し広げながら係止爪１８１ａ、１８１ａを乗り越えて支持部８１に圧入挿着され、係止片１８１、１８１が元に戻ろうとする弾性力によって挟着保持される。このとき該第１のＷＤＭフィルター３８Ｂの下面が基板上面に当接するように係止片１８１、１８１を形成しておけば、第１のＷＤＭフィルター３８Ｂの基板上面からの位置が固定されると共に確実に第１の支持部８１に保持される。ＷＤＭフィルターの取り外しも、以上の手順を逆に行えばよく、第１のＷＤＭフィルターは着脱自在に第１の支持部８１に挟着保持されるのである。
次に、前記第２のＷＤＭフィルター３８Ａの取付において、前記間隔（Ｌ２）から係止片１８２、１８２を外側方向に押し広げながら係止爪１８２ａ、１８２ａを乗り越えて支持部８２に圧入挿着され、係止片１８２、１８２が元に戻ろうとする弾性力によって挟着保持される。このとき該第２のＷＤＭフィルターの下面が上記第１の係止片１８１、１８１の先端部に形成された受止面１８１ｃ、１８１ｃに当接するようにしておけば、第２のＷＤＭフィルターの基板上面からの位置が固定されると共に確実に第２の支持部８２に保持される。ＷＤＭフィルターの取り外しも、以上の手順を逆に行えばよく、第２のＷＤＭフィルターは着脱自在に第２の支持部８２に挟着保持されるのである。
【００２６】
更に、前記第１のＷＤＭフィルター３８Ｂを前記第１の支持部８１に挟着保持したときに、前記第１のＷＤＭフィルター３８Ｂが、前記基板２５が形成する面方向への移動を制限するように形成された一対の凸片１８３、１８３から成る第３の支持部８３を形成することによって前記第１のＷＤＭフィルター３８Ｂを取付けたときに、該第１のＷＤＭフィルター３８Ｂの下面部が第３の支持部８３に嵌合するように構成すれば第１のＷＤＭフィルターは更に安定して第１の支持部８１に保持されるのである。
【００２７】
次に、ケース本体の側板を貫通した状態で、ケース本体外部から上記光ファイバ収容部に向けて光ファイバを導入できるようにしてある導入路について説明する。
図３〜図５に示されるように、導入路６０は、側板部材３ｇ（側板３ａ）を貫通して形成されている。導入路６０におけるケースの内側は、基板２５の一部を凹陥させた形状で、光ケーブル４１等を沿わせる通路６１を備え、通路６１における光ファイバ収容部２４寄りの部分は、光ファイバ収容部２４に向けて光ファイバ４４等の出入りを導く為に緩やかに上昇するスロープの通路Ｒ１が形成されている。
【００２８】
６２は導入路６０に導入された光ケーブル４１、４２を受止める為の受止部を示し、導入路６０の内側（ケース内側）に備えられている。７１ｂ、７２ｂは、夫々光ケーブルを弾力的に受止める為の弾性部材を示す。
６３は、上記受止部とは光ケーブルを挟んで反対側の位置に、光ケーブルに圧接して光ケーブルを不動状態にする為の押圧部材を示し、スリットの側方位置においてケース本体の一部に対して回動自在に枢着されている。６４は押圧部６３から長手方向に突設した枢着部を示す。６５は枢着部６４の端部に形成された枢着軸を示し、基板２５に形成された枢着孔１２５、１２５（一方は図には示されない）に枢着するようにしてある。押圧部材６３の回動範囲は、開放状態（図３（Ｂ）、図４（Ｂ）、図５（Ｂ）参照）では上記スリット110位置から遠ざかった退避位置にあり、押圧位置においては上記光ケーブル４１等に圧接して光ケーブル４１等を不動状態にする押圧位置（図３（Ａ）、図４（Ａ）、図５（Ａ）参照）に至るようにしてある。
６６は、押圧部材６３の回動操作を行う為に押圧部材６３に一体的に立設された操作部を示す。６７は、押圧部材６３と一体動自在に付設された補完部材を示す。補完部材６７の大きさは、押圧部材の押圧位置において、スリット110を塞ぐような大きさに形成してある。押圧部材６３の光ケーブルの当たり面には弾性部材７１ａ、７２ａが両側の対称位置で、夫々間隔を隔てて配設されている。なお、弾性部材７１ａ、７２ａは夫々光ケーブル４１、４２に対応するように別材で構成して配設されているが、弾性部材７１ａ、７２ａを一体材で形成してもよい。７４は、受止部６２に対する押圧部材６３の固着手段としてのねじを示し、任意の押圧力で押圧部材６３を光ケーブル41等に圧接して不動状態にできるようにしてある。６８は、通路６１に形成され、光ケーブル４１、４２を夫々所定位置に誘導する為の隔壁を示す。
【００２９】
次に、基板２５とケース本体３との間に備えられている掛合手段８４について説明する（図１、２、８、９によく表れている）。掛合手段８４は、収納空間５の開口部３ｅに基板２５を開閉自在に被せ付けた状態で、ケース本体３と基板２５とを掛脱自在に固着する為のもので、ケース本体３に設けた掛止部材９３と、上記基板２５に設けた掛合部材８５とを備えている。
【００３０】
掛止部材９３について説明する。９４は、掛合部材８５の広幅部９０を掛止する為の掛止部を示し、図１、２、８によく表れるように、ケース本体３の壁３ｃから突出する方向へ向けて２つ設けられている。９７は、掛止部９４、９４を夫々支持する側板を示し、掛止部９４と一体材で形成してある。９５は二つの掛止部８４、８４間の間隙を示し、その巾Ｗ１は、装着状態で対接部８９が壁９６に当たるまで進入できる寸法にしてある。９８は、掛合部材８５との装着状態において掛合部材８５の広幅部９０を位置させる為の空間を示す。
このように、掛止部材９３は、間隙９５を挟んでその両側に二つの掛止部９４、９４をケース本体の壁から突設させてある。
なお、掛止部材９３はケース本体３と一体材で成型されているものを図示した。しかし、ケース本体３と別体で形成し、ケース本体３と密着状態に装着してあってもよい。
さらに、図において掛止部材９３をケース本体の裏側板３ｄから立設させたものを説明したが、掛止部材９３は、間隙９５を挟んでその両側に二つの掛止部９４、９４が突出するように、ケース本体の天板３ｃから直接突設させて形成してもよい。
【００３１】
掛合部材８５について説明する。
掛合部材８５は、図８、９によく表れるように全体の断面形状をＵ字状に構成し、元部85ａを基板２５に連結してある。８６は装着又は取外し作業の際、指で操作する為の摘み部を示し、自由端部85ｂに備えてある。８７は摘み部８６が元部85ａ側へ撓むような弾力をもたせる為に元部85ａと摘み部８６との間に位置させてある湾曲部を示す。
９０は、掛止部材９３の掛止部９４、９４と掛合する為の広幅部を示し、図９（Ｃ）、（Ｄ）、（Ｅ）に示される装着状態においては、掛止部９４、９４より下に位置する。広幅部９０の巾寸法Ｗ２は、間隙９５の幅寸法Ｗ１より広幅に形成し、図示の如く掛止部９４、９４に掛止されるようにしてある。
８９は装着状態において上記掛止部９４、９４に対接する対接部８９を示し、その巾寸法Ｗ４は間隙９５の幅寸法Ｗ１より狭い幅に形成してある。
【００３２】
次に、掛合部材８５における湾曲部８７の弾力は、次のようにしてある。即ち、
常態では、図９（Ａ）に示されるように、元部85ａと対接部８９との間の寸法Ｓが、装着状態における元部85ａと壁９６との間の寸法Ｓ１より広くなり、
装着過程では、図９（Ｂ）に示されるように、広幅部分９０が掛止部９４に押されて元部85ａ側（図９（Ａ）に示される矢印９１方向）に撓み、広幅部分９０が掛止部９４を通過した後は、図９（Ｃ）に示されるように、対接部８９が間隙９５に進入して壁９６に当たるような弾力にしてある。
なお、上記した広幅部９０における両側の張出部の巾寸法Ｗ３、Ｗ３を任意長く（大きく）すると、掛止部９４、９４との掛合をより丈夫にすることができる。また、張出部の巾寸法Ｗ３、Ｗ３を長くしても、その長さ方向は、掛止部材９３の板厚と交差する方向なので、掛止部材９３の弾力に悪影響を与えるおそれはない。
さらに、掛止部材９３における間隙９５の切り込み深さＨも任意大きくして掛合手段９３の掛合をより丈夫にすることができる。
【００３３】
上記構成のものを用いて光受信機１の設置作業について説明する。
まず、２芯の光ケーブル４１、光ケーブル４２の被覆の除去、光ファイバ４７と光コネクタ21ｂとの付着等の準備をする。さらに、必要に応じて第１と第２のメカニカルスプライス３６、３７、ＷＤＭフィルター等を準備する。
なお、光ファイバ接続作業においては通常知られている工具を用いるので、被覆を除去された光ファイバ４４、４５、４６、４７は比較的長くなければならない。例えば５０cm以上であることが望ましい。作業員の都合によっては１００cm以上の場合もある。
準備完了したら、通常知られている第１と第２のメカニカルスプライス３６、３７を利用する接続手段（他の任意周知の接続手段でもよい）を用いて夫々光ファイバ４４と４６，４５と４７とを接続したり、ＷＤＭフィルターを接続したりする。
【００３４】
上記のようにして光ファイバ相互が接続された後は、図１、２に現れているように、これらのループ状になっている余長の光ファイバ（余分な長い光ファイバ）４４、４５、４６、４７を光ファイバ収容部２４に対して綺麗に納めなければならない。
余長の光ファイバの収容作業と光ケーブル４１等の固定作業について以下詳しく説明する。
【００３５】
まず、操作部６６を指で摘んで、図４（Ａ）、図５（Ｃ）に示される矢印７７方向へ動かし、図３（Ｂ）、図４（Ｂ）、図５（Ｂ）に示されるような押圧部材６３を開放させた状態（退避位置）にする。
次に、外部に対しても長く連なっている光ケーブル４１の中間をつまみ、光ケーブルを横臥状態でスリットに挿入し、図５（Ｂ）に示されるように、光ケーブル４１を導入路６０の受止部６２に存置させる。さらに、光ケーブル４２についても同様に受止部６２に存置させる。余長の光ファイバ４４等は、ケース本体の側板３ａを貫通した状態でケース内に収容される。
次に、押圧部材６３を図４（Ｂ）に示される矢印７８方向へ動かして押圧部材６３を閉じ、図４（Ａ）、図５（Ａ）に示されるような状態（押圧位置）にする。そして、固着ねじ７４からなる固着手段を螺着させることによって、弾性部材７１、７２を介して、押圧部材６３が光ケーブル４１等を圧接して光ケーブル４１等を不動状態にし、正確に保持することになる。この状態では、押圧部材６３に付設された補完部材６７がケース本体側板３ａのスリット110を塞いで側板3ａを補完するので、ケース内に塵埃が侵入することを防止できる。
【００３６】
次に、図１、２に示されるように光ファイバの余長部分を二つの巻枠２６、２７に巻いて収容する。その場合、光ファイバを二つの巻枠２６、２７に対して右巻きに巻いたり左巻きに巻いたり、小嵩に収納したり、多数の態様の巻き方を適宜選択利用することができることから、光ファイバの余りの長さが大きく、しかも、ループ状で、そのループの長さが適当で定かでない場合でも、光ファイバを仕上がりよく巻き付け、格好の良い仕上がりにすることが可能になる。
しかも上記態様の巻き方は夫々巻枠２６、２７に対して緩く巻き付けても、きつく巻き付けても、巻枠の安全曲率以下にはならないので、光ファイバの曲率が小さくなって損傷
することを気にしなくても、必ず安全曲率以上の曲率で巻くことができるようになる。
以上のように余長の光ファイバを収容部２４に収容した後、ケース本体３の内に光受信部１３を収納し、光ファイバ収容部２４備える基板２５をケース本体３に固着する。
【００３７】
基板２５をケース本体３に固着する作業を詳しく説明する。
まず、基板２５に設けられた掛合部材８５の摘み部８６を指で元部85ａ側へ撓ませながら、基板２５を手で保持する。そのまま、図２に示されるような向きに、基板２５をケース本体３の開口部に被せ付ける。そのとき、側板部材３ｇがケース本体の結線盤３ａに形成された切欠部１０３に嵌合するような位置（図５参照）に合わせる。基板２５を手で保持したまま、基板２５の掛合部材８４をケース本体３の掛止部材方向（図９（Ａ）に示される矢印１００方向）に移動させる。
すると、図９（Ｂ）に示されるように、広幅部分９０が元部85ａ側に撓んだ状態で押し込まれる。さらに、矢印１００方向へ押し込むと、広幅部分９０が掛止部９４を通過し、図９（Ｃ）に示される位置までくる。その後、摘み部８６から指を離す。すると対接部８９は弾力的に原形に戻る方向（図９（Ｂ）に示される矢印１０１方向）へ移動し、図９（Ｃ）に示されるように、対接部８９が上記間隙９５に進入して壁９６に当たって接する状態となり、掛合が完了する。この掛合手段８４の掛合状態では、図９（Ｄ）（Ｅ）に示されるように広幅部分９０、９０と掛止部９４、９４とが掛止されている。
以上のように摘み部８６を指で摘んで基板２５を保持しつつ固着作業させられるので、そっとケース本体３と基板２５とを固着させることができ、光ファイバ収容部２４の光ファイバを傷めるおそれがない。
【００３８】
上記のようにして、ケース本体３の内に光受信部１３を収納し、余長の光ファイバを収容部２４に収容し、光ファイバ収容部２４を表面に備える基板２５をケース本体３の開口部に開閉自在に被せ付けた状態で固着した後は、通常の利用方法によって利用される。例えばケース本体３に対して図には示されない蓋を被せ、通常の如く家屋に装着する。
その後は出入口６から引き出されている光ケーブル４２に例えば家屋５４内におけるメディアコンバータ５０、パソコン５１を接続して光信号を利用する。又出入口９の接続端子１６から引き出された同軸ケーブルにはセットトップボックス５２、テレビ受像機５３を接続して利用する。
【００３９】
次に、ケース本体３から基板２５を取り外す作業について説明する。
まず、ケース本体３に被せられている蓋を開け、図１に示されるようにケース本体の開口部３ｅを開口した状態にする。基板２５に設けられた掛合部材８５の摘み部８６を指で撓ませながら基板２５を手で保持し、そのまま基板２５を装着した場合と反対の方向（図１において手前方向）へ移動させる。すると掛合手段８４は、装着した場合と逆、即ち図９（Ｃ）、（Ｂ）、（Ａ）のように掛合が掛脱し、ケース本体３と基板２５との固着が離脱し、基板２５を取り外すことができる。
以上のように摘み部８６を指で摘んで基板２５を保持した状態で掛合を離脱させるので、そっとケース本体３と基板２５との固着を離脱させることができ、光ファイバ収容部２４の光ファイバを傷めるおそれがない。
【００４０】
次に、図３〜図６の押圧部材とは補完部材を付設しない点において異なる例を示す図１０について説明する。なお、図１０において前述の図３〜図６のものと機能、性質又は特徴等が同一又は均等構成と考えられる部分には、前述の図３〜図６と同一の符号を付して重複する説明を省略する。（また次図以降のものにおいても順次同様の考えで、前述の図３〜図６と同一の符号を付して重複する説明を省略する。）
図１０に示される押圧部材によれば、前述の図３〜図６を用いて説明したと同様に、光ファイバ収容作業の際、導入路６０における押圧部材６３を回動させるわずかな操作だけで、スリット110から離れた退避位置（図１０（Ａ）（Ｂ）参照）にすることができるので、光ケーブルのケース内への導入は、スムーズにスリット110を通して導入路６０に差込むことができる。さらに、光ファイバ収容部２４に光ファイバ４４等を収容した後は、退避位置にある押圧部材を押圧位置まで回動させるだけの簡単な操作で、導入路６０における光ケーブル４１等を固定する位置にすることができる。
次に、図１１は、図３〜図６の側板部材３ｇと突出口106とは基板２５と一体材で構成しない点、及び押圧部材に補完部材及び操作部を付設しない点において異なる例を示すものである。
【図面の簡単な説明】
【００４１】
【図１】ケース本体と、ケースの中に収納される光受信部と、光ファイバ収容部と導入路の位置関係を示す正面図（なお、導入路は従来例を示す）。
【図２】ケース本体と、ケースの中に収納される電子機器、光ファイバ収容部、導入路の位置関係を示す分解斜視図（なお、導入路は従来例を示す）。
【図３】基板、光ファイバ収容部、導入路の位置関係を示す斜視図で、（Ａ）は導入路における押圧部材が閉じた状態を示し、（Ｂ）は導入路における押圧部材が開放された状態を示す。
【図４】図３における符号ＩＶ方向から見た正面図で（ケース本体の存在は一点鎖線で示す）、（Ａ）は押圧部材が閉じた状態を示し、（Ｂ）は押圧部材が開放された状態を示す。
【図５】導入路における受止部と、押圧部材と、二系列の光ケーブルの位置関係を説明する為の図で、（Ａ）は押圧部材を閉じた状態、（Ｂ）は押圧部材を開いた状態、（Ｃ）は正面図を示す。
【図６】押圧部材の拡大斜視図。
【図７】ＷＤＭフィルターホルダの部分拡大図。（ａ）は図１におけるＡ−Ａ線断面図、（ｂ）は図１におけるＢ−Ｂ線から見た図であり、（ｃ）具体的な寸法を示す。
【図８】掛合手段を説明する為の図で、図１に示される２つの掛合手段の内、左側の掛合手段についての分解斜視図、（Ａ）は基板に備えられた掛合部材を説明するための斜視図で、（Ｂ）はケース本体に備えられた掛止部材を説明するための斜視図。
【図９】掛合手段の掛止又は離脱作業を説明する為の一部破断した図で図１におけるＩＸ−ＩＸ線断面図。（Ａ）は装着前（常態）を示す図、（Ｂ）は、装着過程を示す図、（Ｃ）は装着後を示す図、（Ｄ）は図９（Ｃ）におけるＤ−Ｄ線断面図、（Ｅ）は図９（Ｃ）におけるＥ−Ｅ線断面図。
【図１０】図３〜図６の押圧部材とは異なる例を説明する為の図で、（Ａ）は基板、光ファイバ収容部、導入路の位置関係を示す斜視図、（Ｂ）は（Ａ）の符号Ｘ方向から見た正面図（ケース本体の存在は一点鎖線で示す）、（Ｃ）は押圧部材の拡大斜視図。
【図１１】図３〜図６とは異なる例を説明する為の図で、（Ａ）は押圧部材が閉じた状態を示し、（Ｂ）は押圧部材が開放された状態を示し、（Ｃ）は押圧部材の拡大斜視図。
【符号の説明】
【００４２】
１・・・光受信機、３・・・ケース本体、  ３ａ・・・結線盤、  ３ｂ・・・側板、  ３ｃ・・・天板、３ｄ・・・裏側板、３ｅ・・・開口部、３ｆ・・・開口縁、３ｇ・・・側板部材、５・・・収納空間、６・・・出入口、８・９・・・出力端子突出口、１３・・・光受信部、１７・・・光ファイバ、２０・・・光アダプタ、２１・・・コネクタ、２４・・・光ファイバ収容部、２５・・・基板、２６・・・第１巻枠、２７・・・第２巻枠、２８・・・跳止爪、３４・・・第１スプライスホルダ、３５・・・第２スプライスホルダ、３６・・・第１メカニカルスプライス、３７・・・第２メカニカルスプライス、３８・・・ＷＤＭフィルターホルダ、３９・・・挟持具、４１・・・光ケーブル、４２・・・光ケーブル、４４〜４７・・・光ファイバ、Ｒ１・・・光ファイバ路、５８・・・周壁、６０・・・導入路、６１・・・通路、６２・・・受止部、６３・・・押圧部材、６４・・・枢着部、６５・・・枢着軸、６６・・・操作部、６７・・・補完部材、７０・・・弾性部材、７１・７２・・・弾性部材、７４・・・ビス、８０・・・ＷＤＭフィルターホルダ、８０・・・ＷＤＭフィルターホルダ、８４・・・掛合手段、８５・・・掛合部材、８６・・・摘み部、８７・・・湾曲部、８９・・・対接部、９０・・・広幅部、９３・・・掛止部材、９４・・・掛止部、９５・・・間隙、９６・・・壁、１０６・・・突出口、１０６ａ・・・隔壁、１０３・・・切欠部、１１０・・・スリット、１２５・・・枢着孔、１８１・・・係止片、１８１ａ・・・係止爪、１８１ｂ・・・当付面、１８１ｃ・・・受止面、８２・・・第２の支持部、１８２・・・係止片、１８２ａ・・・係止爪、１８２ｂ・・・当付面
【図１】
2007086737.tif 000003
【図２】
2007086737.tif 000004
【図３】
2007086737.tif 000005
【図４】
2007086737.tif 000006
【図５】
2007086737.tif 000007
【図６】
2007086737.tif 000008
【図７】
2007086737.tif 000009
【図８】
2007086737.tif 000010
【図９】
2007086737.tif 000011
【図１０】
2007086737.tif 000012
【図１１】
2007086737.tif 000013